(57)【特許請求の範囲】
【請求項１】
脚体に固定されて支持される固定天板と、前記固定天板の奥行き方向の奥側に配置されて前記脚体に移動可能に支持される可動天板とに分割される天板と、
前記固定天板に対して離間または近接する前記可動天板の奥行き方向の移動を案内するガイド部と、
前記可動天板の奥行き方向の移動によって開閉する前記固定天板と前記可動天板との間隙に開口し、前記間隙を通じて前記天板上側から前記天板下方側に被収納物を収納する収納部と、
前記固定天板と前記可動天板とを直接的または間接的に接合するための接合部材と、
前記接合部材と前記可動天板とを着脱可能に固定して、前記固定天板と前記可動天板との直接的または間接的な接合を確保し、前記接合部材と前記可動天板との固定を解除して、前記固定天板と前記可動天板との直接的または間接的な接合を解除する固定部材と、
を備え、
前記可動天板の裏面には、前記接合部材に比べて前記可動天板の奥行き方向に長く、前記接合部材に係合する係合凹部が形成され、
前記接合部材は、前記固定部材によって前記係合凹部に着脱可能に固定され、
前記可動天板は、前記固定部材による前記接合部材と前記係合凹部との固定が解除された状態において、前記係合凹部を前記接合部材に沿って摺動させながら奥行き方向に移動する、
ことを特徴とする天板付き家具。
【請求項２】
前記接合部材は、前記脚体に固定され且つ前記固定部材によって前記可動天板に着脱可能に固定されて、前記脚体を介し前記固定天板と前記可動天板とを間接的に接合することを特徴とする請求項１に記載の天板付き家具。
【請求項３】
前記係合凹部の奥行き方向の端部と前記接合部材との間隔は、前記可動天板の奥行き方向の移動に伴って伸縮する前記ガイド部の最大伸長長さに比べて短く、
前記可動天板は、前記係合凹部の奥行き方向の端部に前記接合部材を当接させて前記ガイド部の伸長を制限することを特徴とする請求項１または２に記載の天板付き家具。
【発明の詳細な説明】
【技術分野】
【０００１】
本発明は、天板を有する天板付き家具に関するものである。
【背景技術】
【０００２】
従来から、脚体によって天板が支持された構造を有する机等の天板付き家具が公知である。このような天板付き家具として、例えば、脚体に固定される固定天板と、固定天板から離間する方向に移動可能な可動天板とに天板を分割し、移動した可動天板と固定天板との間隙を通じて、電源用コード等のコード類を天板上側と天板下方側との間に配線可能とした机がある（特許文献１参照）。
【０００３】
特許文献１に開示される天板付き家具（机）において、天板は、脚体に固定されて支持される固定天板と、この固定天板の後方に移動可能な可動天板とによって構成される。固定天板の後部は、その幅方向の一部領域が凹形状をなすように切欠されている。可動天板は、この固定天板の後部に形成された凹形状の切欠部と嵌合するように設けられる。一方、これらの固定天板と可動天板とからなる天板の下方には、コード類の収納部が形成される。この収納部は、複数の板部材を用い構成されて上方に開口する構造体であり、固定天板の凹形状の切欠部に嵌合した状態の可動天板によって開閉可能に閉塞される。
【０００４】
また、固定天板の後部には、ガイドレールが突設されている。可動天板は、このガイドレールの外周に摺動自在に嵌挿される摺動部材を介して、固定天板に取り付けられる。このような構成により、可動天板は、ガイドレールに沿って、固定天板の後方へ円滑に移動することができる。使用者は、固定天板の後方に可動天板を軽力で移動させ、これにより、固定天板から可動天板を離間させて、固定天板と可動天板との間隙を形成する。上述した収納部は、この間隙を通じて上方に開口する。使用者は、この開口した状態の収納部に対し、天板上の電気器具等から延出するコード類を収納することができる。また、使用者は、この収納部に設けられた扉を開き、この扉の開口を通じて外部から収納部内のコード類を取り扱うことにより、この収納部を介して天板上側と天板下方側との間にコード類を配線することができる。
【先行技術文献】
【特許文献】
【０００５】
【特許文献１】特許第３５４７２５２号公報
【発明の概要】
【発明が解決しようとする課題】
【０００６】
ところで、天板付き家具におけるコード類の収納部は、天板上に載置される電気器具等の物品のコード類を天板上側と天板下方側との間に配線し易くするという観点から、天板の幅方向に可能な限り広く形成されることが望ましい。また、このような幅広形状の収納部に対応して、可動天板は、天板の幅方向の全域に亘る幅寸法を有し、天板の幅方向の全域に亘って固定天板との間隙を開閉できるように形成されることが望ましい。
【０００７】
上述したような幅広形状の可動天板が天板付き家具に採用された場合、天板付き家具を設置または移設等のために持ち運ぶ作業（以下、運搬作業という）は、可動天板等を把持して天板付き家具を持ち上げながら行われることが多い。しかしながら、上述した従来技術では、天板付き家具の運搬作業の際、把持した可動天板がガイドレールに沿って妄りに移動してしまい、これに起因して、天板付き家具の運搬作業が行い難くなるという問題がある。
【０００８】
本発明は、上記に鑑みてなされたものであって、天板上側と天板下方側との間に配線をし易い構造を確保するとともに、運搬作業の行い易さが損なわれる事態を回避することができる天板付き家具を提供することを目的とする。
【課題を解決するための手段】
【０００９】
上述した課題を解決し、目的を達成するために、本発明にかかる天板付き家具は、脚体に固定されて支持される固定天板と、前記固定天板の奥行き方向の奥側に配置されて前記脚体に移動可能に支持される可動天板とに分割される天板と、前記固定天板に対して離間または近接する前記可動天板の奥行き方向の移動を案内するガイド部と、前記可動天板の奥行き方向の移動によって開閉する前記固定天板と前記可動天板との間隙に開口し、前記間隙を通じて前記天板上側から前記天板下方側に被収納物を収納する収納部と、前記固定天板と前記可動天板とを直接的または間接的に接合するための接合部材と、前記接合部材と前記可動天板とを着脱可能に固定して、前記固定天板と前記可動天板との直接的または間接的な接合を確保し、前記接合部材と前記可動天板との固定を解除して、前記固定天板と前記可動天板との直接的または間接的な接合を解除する固定部材と、を備えたことを特徴とする。
【００１０】
また、本発明にかかる天板付き家具は、上記の発明において、前記接合部材は、前記脚体に固定され且つ前記固定部材によって前記可動天板に着脱可能に固定されて、前記脚体を介し前記固定天板と前記可動天板とを間接的に接合することを特徴とする。
【００１１】
また、本発明にかかる天板付き家具は、上記の発明において、前記可動天板の裏面には、前記接合部材に比べて前記可動天板の奥行き方向に長く、前記接合部材に係合する係合凹部が形成され、前記接合部材は、前記固定部材によって前記係合凹部に着脱可能に固定され、前記可動天板は、前記固定部材による前記接合部材と前記係合凹部との固定が解除された状態において、前記係合凹部を前記接合部材に沿って摺動させながら奥行き方向に移動することを特徴とする。
【００１２】
また、本発明にかかる天板付き家具は、上記の発明において、前記係合凹部の奥行き方向の端部と前記接合部材との間隔は、前記可動天板の奥行き方向の移動に伴って伸縮する前記ガイド部の最大伸長長さに比べて短く、前記可動天板は、前記係合凹部の奥行き方向の端部に前記接合部材を当接させて前記ガイド部の伸長を制限することを特徴とする。
【発明の効果】
【００１３】
本発明によれば、天板上側と天板下方側との間に配線をし易い構造を確保するとともに、運搬作業の行い易さが損なわれる事態を回避することができるという効果を奏する。
【図面の簡単な説明】
【００１４】
【図１】図１は、本発明の実施の形態にかかる天板付き家具の一構成例を示す斜視図である。
【図２】図２は、本発明の実施の形態にかかる天板付き家具の一構成例を示す正面図である。
【図３】図３は、本発明の実施の形態にかかる天板付き家具の一構成例を示す側面図である。
【図４】図４は、図２に示す天板付き家具のＡ−Ａ線断面の概略構成を示す断面図である。
【図５】図５は、図３に示す天板付き家具のＢ−Ｂ線断面の概略構成を示す断面図である。
【図６】図６は、本発明の実施の形態にかかる天板付き家具の一構成例を示す後面図である。
【図７】図７は、図１に示す天板付き家具をその高さ方向の下側から見た図である。
【図８】図８は、図１に示す天板付き家具をその高さ方向の上側から見た図である。
【図９】図９は、本発明の実施の形態にかかる天板付き家具のメイン天板とサブ天板との間隙を開けた状態を示す図である。
【図１０】図１０は、本発明の実施の形態におけるメイン天板およびサブ天板の裏面構造の一例を示す図である。
【図１１】図１１は、天板付き家具の脚体を介してメイン天板とサブ天板とを間接的に接合する構造の一例を示す図である。
【図１２】図１２は、固定ネジを用いた接合板とサブ天板との固定および固定解除を説明する図である。
【図１３】図１３は、本発明の実施の形態におけるサブ天板の奥行き方向の移動を説明する図である。
【発明を実施するための形態】
【００１５】
以下に、添付図面を参照して、本発明にかかる天板付き家具の好適な実施の形態について詳細に説明する。なお、本実施の形態により、本発明が限定されるものではない。また、図面は模式的なものであり、各要素の寸法の関係、各要素の比率等は、現実のものとは異なる場合があることに留意する必要がある。図面の相互間においても、互いの寸法の関係や比率が異なる部分が含まれている場合がある。また、各図面において、同一構成部分には同一符号が付されている。
【００１６】
（天板付き家具の構成）
まず、本発明の実施の形態にかかる天板付き家具の構成について説明する。図１は、本発明の実施の形態にかかる天板付き家具の一構成例を示す斜視図である。図２は、本発明の実施の形態にかかる天板付き家具の一構成例を示す正面図である。図３は、本発明の実施の形態にかかる天板付き家具の一構成例を示す側面図である。図４は、図２に示す天板付き家具のＡ−Ａ線断面の概略構成を示す断面図である。図５は、図３に示す天板付き家具のＢ−Ｂ線断面の概略構成を示す断面図である。図６は、本発明の実施の形態にかかる天板付き家具の一構成例を示す後面図である。図７は、図１に示す天板付き家具をその高さ方向の下側から見た図である。図８は、図１に示す天板付き家具をその高さ方向の上側から見た図である。図９は、本発明の実施の形態にかかる天板付き家具のメイン天板とサブ天板との間隙を開けた状態を示す図である。
【００１７】
図１〜９に示すように、本発明の実施の形態にかかる天板付き家具１は、メイン天板３とサブ天板４とに分割される天板２と、天板２を支持する脚体６と、メイン天板３に対するサブ天板４の相対的な移動を案内するガイド部７，８と、コード類等の被収納物を収納可能な収納部９とを備える。また、天板付き家具１は、脚体６とメイン天板３とを固定するための固定板１４ａ，１４ｂと、脚体６を介してメイン天板３とサブ天板４とを着脱可能に接合するための接合板１５ａ，１５ｂと、サブ天板４と接合板１５ａ，１５ｂとを着脱可能に固定する固定ネジ１６ａ，１６ｂとを備える。
【００１８】
天板２は、天板付き家具１の使用の用途に応じた作業に用いられる平板部材であり、メイン天板３とサブ天板４とからなる。メイン天板３は、図１〜４に示すように、脚体６に固定されて支持される固定天板であり、使用者が用途に応じ使用するメインの天板として機能する。このメイン天板３の上面には、天板付き家具１の用途に応じた物品が適宜載置される。なお、メイン天板３の上面に載置される物品として、例えば、パーソナルコンピュータ（パソコン）等の電子機器、電話機等の通信機器、照明器具等の電気器具、書籍、文房具等が挙げられる。
【００１９】
また、メイン天板３の幅方向Ｆ１の中途部分には、サブ天板４側から奥行き方向Ｆ３の手前側に凹む形状の凹部５が形成されている。凹部５は、後述するサブ天板４を移動させる際の手等の差込口としての機能と、天板２上側と天板２下方側との間に通すコード類等の被収納物（図示せず）の挿通口としての機能とを兼ね備える。
【００２０】
サブ天板４は、図１，３〜６に示すように、メイン天板３の奥行き方向Ｆ３の奥側に配置されて、脚体６に移動可能に支持される可動天板である。具体的には、本実施の形態において、サブ天板４は、メイン天板３に比べて小型の天板であり、メイン天板３と同程度の幅（幅方向Ｆ１の長さ）と、メイン天板３に比べて小さい奥行き長さ（奥行き方向Ｆ３の長さ）とを有する。また、サブ天板４は、メイン天板３から離間する方向に移動する。これにより、サブ天板４は、図９に示すように、その奥行き方向Ｆ３手前側の端面とメイン天板３の奥行き方向Ｆ３奥側の端面との間に、間隙１８を開閉可能に形成する。また、サブ天板４は、この間隙１８を形成した状態から、メイン天板３に近接する方向に移動する。これにより、サブ天板４は、その奥行き方向Ｆ３手前側の端面とメイン天板３の奥行き方向Ｆ３奥側の端面とを当接させて、この間隙１８を閉じる（図１参照）。この状態において、サブ天板４は、メイン天板３と連続する天板になる。
【００２１】
なお、サブ天板４の上面には、メイン天板３の場合と同様に物品を適宜載置することが可能である。しかし、サブ天板４が上述したように奥行き方向Ｆ３に移動可能な可動天板であることから、サブ天板４の上面に対する物品の載置は、一時的にする等して、必要最小限にとどめることが望ましい。
【００２２】
脚体６は、天板付き家具１を床面等の起立面に自立（起立）させるための脚部として機能するものである。本実施の形態において、脚体６は、図１等に示すように、一対の脚板６ａ，６ｂによって構成される。脚体６は、図１，２，６等に示すように、一対の脚板６ａ，６ｂの各上面に天板２を支持し、この天板２の上面を天板付き家具１の高さ方向Ｆ２の上方に向けて自立する。また、脚体６は、図１，２，５等に示すように、一対の脚板６ａ，６ｂの対向する各内壁面間に、コード類等の被収納物（図示せず）を収納する収納部９を挟持する。
【００２３】
一対の脚板６ａ，６ｂは、図１等に示すように、天板付き家具１の幅方向Ｆ１に所定の間隔をあけて離間し、且つ、その面直方向に対向するように配置される。一方の脚板６ａの上面には、固定板１４ａおよび接合板１５ａが所定の間隔をあけて奥行き方向Ｆ３に並ぶように設けられる。脚板６ａは、その上面に固定板１４ａを用いて固定されるメイン天板３の幅方向Ｆ１の一端部を支持する。また、脚板６ａは、その上面に接合板１５ａを用いて着脱可能に固定されるサブ天板４の幅方向Ｆ１の一端部を移動可能に支持する。他方の脚板６ｂの上面には、固定板１４ｂおよび接合板１５ｂが所定の間隔をあけて奥行き方向Ｆ３に並ぶように設けられる。脚板６ｂは、その上面に固定板１４ｂを用いて固定されるメイン天板３の幅方向Ｆ１の他端部を支持する。また、脚板６ｂは、その上面に接合板１５ｂを用いて着脱可能に固定されるサブ天板４の幅方向Ｆ１の他端部を移動可能に支持する。このようにして、一対の脚板６ａ，６ｂは、メイン天板３を協同して固定支持し、且つ、サブ天板４を協同して移動可能に支持する。
【００２４】
ガイド部７，８は、メイン天板３に対して離間または近接するサブ天板４の奥行き方向Ｆ３の移動を案内するものである。ガイド部７，８は、各々、ガイドレール等に沿って直線的に伸縮可能な装置であり、伸縮方向を長手としている。ガイド部７，８は、図１，５，７に示すように、各々の伸縮方向が天板付き家具１の奥行き方向Ｆ３に対して平行となるように、メイン天板３とサブ天板４とに跨って天板２の裏面に取り付けられる。ガイド部７，８は、サブ天板４がメイン天板３から離間する方向に移動する際、奥行き方向Ｆ３の奥側に向かって伸長し、これにより、このサブ天板４の離間方向（奥行き方向Ｆ３の奥側への方向）の移動を案内する（図９参照）。また、ガイド部７，８は、サブ天板４がメイン天板３に近接する方向に移動する際、奥行き方向Ｆ３の手前側に向かって収縮し、これにより、このサブ天板４の近接方向（奥行き方向Ｆ３の手前側への方向）の移動を案内する。
【００２５】
収納部９は、天板２上に載置される物品の被収納物を収納し、この収納した被収納物を天板２上側と天板２下方側との間に通すものである。具体的には、図１〜５，７〜９に示すように、収納部９は、幕板１０と、棚板１０ａと、側板１１ａ〜１１ｄと、底板１２ａ，１２ｂと、前面固定板１３ａ，１３ｂと、前面中央板１３ｃとを用いて構成される。収納部９は、天板２の下方且つ脚体６の脚板６ａ，６ｂ間に設けられ、天板２の幅（幅方向Ｆ１の長さ）と同程度の幅を有する収納空間を形成する。
【００２６】
幕板１０は、天板付き家具１の奥行き方向Ｆ３奥側を覆う板部材である。図５，６に示すように、幕板１０は、脚体６の脚板６ａ，６ｂ間に挟持され、天板付き家具１の奥行き方向Ｆ３奥側を覆う壁面（後面）をなす。また、幕板１０の前面（奥行き方向Ｆ３手前側の面）には、図４，５，７に示すように、棚板１０ａが設けられる。棚板１０ａは、収納部９に収納された被収納物を載置する板部材である。棚板１０ａには、図５，７，８に示すように、この棚板１０ａの上方の空間と下方の空間とを連通する貫通孔１０ｂ，１０ｃが形成されている。
【００２７】
側板１１ａ〜１１ｄは、図５，７，８に示すように、天板付き家具１の幅方向Ｆ１に間隔を開けて並ぶように脚体６の脚板６ａ，６ｂ間に配置される。具体的には、図５に示すように、側板１１ａは、収納部９における幅方向Ｆ１の右側端の側壁をなす板部材である。側板１１ａは、脚体６の一方の脚板６ａにおける内壁面に固定される。また、側板１１ｂは、上述した右側端の側板１１ａと棚板１０ａの右側の貫通孔１０ｂとの間に配置される。一方、側板１１ｄは、収納部９における幅方向Ｆ１の左側端の側壁をなす板部材である。側板１１ｄは、脚体６の他方の脚板６ｂにおける内壁面に固定される。また、側板１１ｃは、上述した左側端の側板１１ｄと棚板１０ａの左側の貫通孔１０ｃとの間に配置される。
【００２８】
底板１２ａ，１２ｂは、収納部９のうち棚板１０ａの貫通孔１０ｂ，１０ｃに通じる空間以外の空間の底面をなす板部材である。図５，７に示すように、底板１２ａは、右側端の側板１１ａおよび側板１１ｂの各下端部に取り付けられ、これらの側板１１ａ，１１ｂと棚板１０ａとによって囲まれる空間の下端を閉塞する。底板１２ｂは、左側端の側板１１ｄおよび側板１１ｃの各下端部に取り付けられ、これらの側板１１ｃ，１１ｄと棚板１０ａとによって囲まれる空間の下端を閉塞する。
【００２９】
前面固定板１３ａ，１３ｂおよび前面中央板１３ｃは、収納部９の奥行き方向Ｆ３手前側を覆う板部材である。図２，７，８に示すように、一方の前面固定板１３ａは、収納部９によって形成される空間のうち右側の空間の前面を覆うように、固定金具１７ａを用いてメイン天板３の裏面に固定される。他方の前面固定板１３ｂは、収納部９によって形成される空間のうち左側の空間の前面を覆うように、固定金具１７ｂを用いてメイン天板３の裏面に固定される。前面中央板１３ｃは、収納部９によって形成される空間の中央領域の前面を覆うように、棚板１０ａおよび側板１１ｂ，１１ｃに対して着脱可能に取り付けられる。この際、図２，４に示すように、前面中央板１３ｃは、その高さ方向Ｆ２の上端部と天板２（詳細にはメイン天板３）の裏面との間に間隙を形成する。この間隙は、使用者が前面中央板１３ｃを着脱する際に手を差し入れることが可能な間隙である。前面中央板１３ｃは、例えば、天板２上側または脚体６の起立面側から被収納物を収納部９の収納空間内に収納して、収納した被収納物を、天板２上側と脚体６の起立面側との間に通す際に、取り外される。
【００３０】
上述した構成を有する収納部９は、幕板１０と、側板１１ａ〜１１ｄと、前面固定板１３ａ，１３ｂと、前面中央板１３ｃとによって囲まれる収納空間を形成する。また、収納部９は、この収納空間を、棚板１０ａによって上下に区分している。このような収納空間を形成する収納部９は、上述したサブ天板４の奥行き方向Ｆ３の移動によって開閉するメイン天板３とサブ天板４との間隙１８（図９参照）と、脚体６が起立する床面等の起立面との双方に開口する。
【００３１】
収納部９は、上述した間隙１８を通じて天板２上側から被収納物を天板２下方側の収納空間内に収納し、この収納した被収納物を天板２上側と天板２下方側（本実施の形態では脚体６の起立面側）との間に通す。この際、被収納物は、天板２の上面から間隙１８を通じて収納部９の棚板１０ａ上に収納され、その後、この棚板１０ａの貫通孔１０ｂ，１０ｃのいずれか一方から棚板１０ａの下方に通され、収納部９の下端から外部に至る。または、収納部９は、脚体６の起立面側から被収納物を天板２下方側の収納空間内に収納し、この収納した被収納物を天板２上側と脚体６の起立面側との間に通す。この際、被収納物は、棚板１０ａの下方から貫通孔１０ｂ，１０ｃのいずれか一方を通じて収納部９の収納空間内に収納され、その後、間隙１８を通じて天板２の上面に至る。以上により、被収納物は、収納部９の収納空間を介して天板２上側と脚体６の起立面側（天板２の下方側）との間に配線される。
【００３２】
なお、収納部９に収納される被収納物として、例えば、天板２上に載置される電子機器または電気器具の電源用コードや通信機器のケーブル等のコード類、各種物品に繋げる紐等の細長形状体、細長形状以外の各種形状の構造体等が挙げられる。
【００３３】
固定板１４ａ，１４ｂは、天板２のうちのメイン天板３と脚体６とを固定するための部材である。本実施の形態において、固定板１４ａ，１４ｂは、金属等の素材を用いて構成され、天板付き家具１の奥行き方向Ｆ３に長手となる板形状に形成される。図１〜４に示すように、固定板１４ａは、メイン天板３の幅方向Ｆ１の一端部（右側の端部）と脚体６の一方の脚板６ａとを固定する。固定板１４ｂは、メイン天板３の幅方向Ｆ１の他端部（左側の端部）と脚体６の他方の脚板６ｂとを固定する。
【００３４】
接合板１５ａ，１５ｂは、天板２のメイン天板３とサブ天板４とを直接的または間接的に接合するための接合部材として機能する。本実施の形態において、接合板１５ａ，１５ｂは、金属等の素材を用いて構成される板形状の部材であり、脚体６を介してメイン天板３とサブ天板４とを間接的に接合する。具体的には、図１，３，４，６に示すように、接合板１５ａは、サブ天板４の幅方向Ｆ１の一端部（右側の端部）と脚体６の一方の脚板６ａとを着脱可能に接合し、この脚板６ａを介してメイン天板３とサブ天板４とを間接的に接合する。接合板１５ｂは、サブ天板４の幅方向Ｆ１の他端部（左側の端部）と脚体６の他方の脚板６ｂとを着脱可能に接合し、この脚板６ｂを介してメイン天板３とサブ天板４とを間接的に接合する。
【００３５】
固定ネジ１６ａ，１６ｂは、接合板１５ａ，１５ｂとサブ天板４とを着脱可能に固定して、天板２のメイン天板３とサブ天板４との直接的または間接的な接合を確保または解除する固定部材として機能する。本実施の形態において、固定ネジ１６ａ，１６ｂは、化粧ネジ等のネジ部品であり、脚体６を介したメイン天板３とサブ天板４との間接的な接合を確保または解除する。
【００３６】
具体的には、図１，３，４，６に示すように、固定ネジ１６ａは、脚体６の一方の脚板６ａに固定された状態の接合板１５ａとサブ天板４とを着脱可能に固定する。これにより、固定ネジ１６ａは、この脚板６ａを介したメイン天板３とサブ天板４との間接的な接合を確保する。また、固定ネジ１６ａは、上述した接合板１５ａとサブ天板４との固定を解除し、これにより、この脚板６ａを介したメイン天板３とサブ天板４との間接的な接合を解除する。一方、固定ネジ１６ｂは、脚体６の他方の脚板６ｂに固定された状態の接合板１５ｂとサブ天板４とを着脱可能に固定する。これにより、固定ネジ１６ｂは、この脚板６ｂを介したメイン天板３とサブ天板４との間接的な接合を確保する。また、固定ネジ１６ｂは、上述した接合板１５ｂとサブ天板４との固定を解除し、これにより、この脚板６ｂを介したメイン天板３とサブ天板４との間接的な接合を解除する。
【００３７】
なお、本実施の形態において、天板付き家具１の幅方向Ｆ１、高さ方向Ｆ２、および奥行き方向Ｆ３は、図１等に示すように定義される。すなわち、天板付き家具１の幅方向Ｆ１は、脚体６を構成する一対の脚板６ａ，６ｂ同士の対向方向に対して平行な方向であり、且つ、天板２に直交する方向（面直方向）に対して垂直な方向である。天板付き家具１の高さ方向Ｆ２は、床面等の起立面に起立した状態の天板付き家具１の上下方向であり、天板付き家具１の幅方向Ｆ１および奥行き方向Ｆ３に対して垂直である。天板付き家具１の奥行き方向Ｆ３は、机等として天板付き家具１を使用する使用者（図示せず）が椅子に座る等して天板付き家具１に向かう方向である。この奥行き方向Ｆ３は、脚体６を構成する一対の脚板６ａ，６ｂ同士の対向方向と、天板２の面直方向との双方に対して垂直である。これらの幅方向Ｆ１、高さ方向Ｆ２、および奥行き方向Ｆ３は、天板付き家具１を構成する天板２等の各構成部についても同様である。
【００３８】
（メイン天板およびサブ天板の裏面構造）
つぎに、本発明の実施の形態にかかる天板付き家具１の天板２を構成するメイン天板３およびサブ天板４の裏面構造について説明する。図１０は、本発明の実施の形態におけるメイン天板およびサブ天板の裏面構造の一例を示す図である。なお、本実施の形態において、天板２（メイン天板３およびサブ天板４）の裏面は、物品を載置する等して使用される天板２の上面（高さ方向Ｆ２の上側の面）に対する裏側の面である。図１０に示すように、メイン天板３の裏面には、ガイド用係合凹部３ａ，３ｂと、固定板用係合凹部３ｃ，３ｄと、固定金具用係合凹部３ｅ，３ｆとが形成される。
【００３９】
ガイド用係合凹部３ａ，３ｂは、上述したガイド部７，８と各々部分的に係合する係合凹部である。図１０に示すように、ガイド用係合凹部３ａ，３ｂは、メイン天板３の裏面のうち、奥行き方向Ｆ３奥側の端部近傍に各々形成される。詳細には、ガイド用係合凹部３ａは、ガイド部７における奥行き方向Ｆ３手前側の部分と係合できる凹形状に形成される。ガイド用係合凹部３ａは、このガイド部７の奥行き方向Ｆ３手前側の部分と係合して、この部分を収容する。これにより、ガイド用係合凹部３ａは、メイン天板３の裏面からガイド部７が出っ張ることを防止する。一方、ガイド用係合凹部３ｂは、ガイド部８における奥行き方向Ｆ３手前側の部分と係合できる凹形状に形成される。ガイド用係合凹部３ｂは、このガイド部８の奥行き方向Ｆ３手前側の部分と係合して、この部分を収容する。これにより、ガイド用係合凹部３ｂは、メイン天板３の裏面からガイド部８が出っ張ることを防止する。
【００４０】
固定板用係合凹部３ｃ，３ｄは、上述した固定板１４ａ，１４ｂと各々係合する係合凹部である。図１０に示すように、固定板用係合凹部３ｃ，３ｄは、メイン天板３の裏面のうち、幅方向Ｆ１の左右両端部の各近傍に各々形成される。詳細には、固定板用係合凹部３ｃは、脚体６における一方の脚板６ａの上端面に固定された状態の固定板１４ａと係合できる凹形状に形成される。固定板用係合凹部３ｃは、この固定板１４ａと係合して固定板１４ａ全体を収容する。これにより、固定板用係合凹部３ｃは、メイン天板３の裏面から固定板１４ａが出っ張ることを防止する。一方、固定板用係合凹部３ｄは、脚体６における他方の脚板６ｂの上端面に固定された状態の固定板１４ｂと係合できる凹形状に形成される。固定板用係合凹部３ｄは、この固定板１４ｂと係合して固定板１４ｂ全体を収容する。これにより、固定板用係合凹部３ｄは、メイン天板３の裏面から固定板１４ｂが出っ張ることを防止する。
【００４１】
固定金具用係合凹部３ｅ，３ｆは、上述した固定金具１７ａ，１７ｂと各々係合する係合凹部である。図１０に示すように、固定金具用係合凹部３ｅ，３ｆは、メイン天板３の裏面のうち、凹部５の近傍に各々形成される。詳細には、固定金具用係合凹部３ｅは、前面固定板１３ａをメイン天板３の裏面に固定するための固定金具１７ａと係合できる凹形状に形成される。固定金具用係合凹部３ｅは、この固定金具１７ａのメイン天板３に対する接合部分と係合して、この固定金具１７ａを部分的に収容する。これにより、固定金具用係合凹部３ｅは、メイン天板３の裏面からの固定金具１７ａの出っ張りを可能な限り低減する。一方、固定金具用係合凹部３ｆは、前面固定板１３ｂをメイン天板３の裏面に固定するための固定金具１７ｂと係合できる凹形状に形成される。固定金具用係合凹部３ｆは、この固定金具１７ｂのメイン天板３に対する接合部分と係合して、この固定金具１７ｂを部分的に収容する。これにより、固定金具用係合凹部３ｆは、メイン天板３の裏面からの固定金具１７ｂの出っ張りを可能な限り低減する。
【００４２】
一方、図１０に示すように、サブ天板４の裏面には、ガイド用係合凹部４ａ，４ｂと、接合板用係合凹部４ｃ，４ｄとが形成される。ガイド用係合凹部４ａ，４ｂは、上述したガイド部７，８と各々部分的に係合する係合凹部である。図１０に示すように、ガイド用係合凹部４ａ，４ｂは、サブ天板４の裏面のうち、奥行き方向Ｆ３手前側の端部近傍に各々形成される。
【００４３】
ガイド用係合凹部４ａは、ガイド部７における奥行き方向Ｆ３奥側の部分と係合できる凹形状に形成される。ガイド用係合凹部４ａは、このガイド部７の奥行き方向Ｆ３奥側の部分と係合して、この部分を収容する。これにより、ガイド用係合凹部４ａは、サブ天板４の裏面からガイド部７が出っ張ることを防止する。一方、ガイド用係合凹部４ｂは、ガイド部８における奥行き方向Ｆ３奥側の部分と係合できる凹形状に形成される。ガイド用係合凹部４ｂは、このガイド部８の奥行き方向Ｆ３奥側の部分と係合して、この部分を収容する。これにより、ガイド用係合凹部４ｂは、サブ天板３の裏面からガイド部８が出っ張ることを防止する。
【００４４】
ここで、上述したメイン天板３側のガイド用係合凹部３ａ，３ｂおよびサブ天板４側のガイド用係合凹部４ａ，４ｂは、ガイド部７，８と各々全体的に係合する各係合凹部を構成する。具体的には、ガイド用係合凹部３ａ，４ａは、メイン天板３とサブ天板４とが奥行き方向に当接した状態において互いに連続する。これらのガイド用係合凹部３ａ，４ａからなる係合凹部は、ガイド部７全体と係合してガイド部７全体を収容し、これにより、天板２の裏面からガイド部７が出っ張ることを防止する。同様に、ガイド用係合凹部３ｂ，４ｂは、メイン天板３とサブ天板４とが奥行き方向に当接した状態において互いに連続する。これらのガイド用係合凹部３ｂ，４ｂからなる係合凹部は、ガイド部８全体と係合してガイド部８全体を収容し、これにより、天板２の裏面からガイド部８が出っ張ることを防止する。
【００４５】
接合板用係合凹部４ｃ，４ｄは、上述した接合板１５ａ，１５ｂと各々係合する係合凹部である。図１０に示すように、接合板用係合凹部４ｃ，４ｄは、サブ天板４の裏面のうち、幅方向Ｆ１の左右両端部の各近傍に各々形成される。
【００４６】
詳細には、接合板用係合凹部４ｃは、接合板１５ａに比べてサブ天板４の奥行き方向Ｆ３に長く、且つ、脚体６における一方の脚板６ａの上端面に固定された状態の接合板１５ａと係合できる凹形状に形成される。すなわち、図１０に示すように、接合板用係合凹部４ｃの奥行き方向Ｆ３の長さＬ１は、接合板１５ａの奥行き方向Ｆ３の長さＬ３に比べて長い。また、接合板用係合凹部４ｃの奥行き方向Ｆ３の端部と接合板１５ａとの間隔Ｌ２は、ガイド部７の最大伸長長さに比べて短い。ここで、ガイド部７の最大伸長長さは、サブ天板４の奥行き方向Ｆ３の移動に伴って伸縮するガイド部７の奥行き方向Ｆ３奥側への最大延出長さに相等する。接合板用係合凹部４ｃは、上述した状態の接合板１５ａに係合して、この接合板１５ａ全体を奥行き方向Ｆ３に摺動可能に収容する。これにより、接合板用係合凹部４ｃは、サブ天板４の裏面から接合板１５ａが出っ張ることを防止する。
【００４７】
一方、接合板用係合凹部４ｄは、接合板１５ｂに比べてサブ天板４の奥行き方向Ｆ３に長く、且つ、脚体６における一方の脚板６ｂの上端面に固定された状態の接合板１５ｂと係合できる凹形状に形成される。すなわち、図１０に示すように、接合板用係合凹部４ｄの奥行き方向Ｆ３の長さＬ４は、接合板１５ｂの奥行き方向Ｆ３の長さＬ６に比べて長い。また、接合板用係合凹部４ｄの奥行き方向Ｆ３の端部と接合板１５ｂとの間隔Ｌ５は、ガイド部８の最大伸長長さに比べて短い。ここで、ガイド部８の最大伸長長さは、サブ天板４の奥行き方向Ｆ３の移動に伴って伸縮するガイド部８の奥行き方向Ｆ３奥側への最大延出長さに相等する。接合板用係合凹部４ｄは、上述した状態の接合板１５ｂに係合して、この接合板１５ｂ全体を奥行き方向Ｆ３に摺動可能に収容する。これにより、接合板用係合凹部４ｄは、サブ天板４の裏面から接合板１５ｂが出っ張ることを防止する。
【００４８】
（メイン天板とサブ天板との接合構造）
つぎに、本発明の実施の形態にかかる天板付き家具１のメイン天板３とサブ天板４との接合構造について説明する。図１１は、天板付き家具の脚体を介してメイン天板とサブ天板とを間接的に接合する構造の一例を示す図である。図１２は、固定ネジを用いた接合板とサブ天板との固定および固定解除を説明する図である。
【００４９】
図１１に示すように、脚体６を構成する一対の脚板６ａ，６ｂの各上端面（高さ方向Ｆ２の上側の端面）には、固定板１４ａ，１４ｂと、接合板１５ａ，１５ｂとが固定される。固定板１４ａ，１４ｂは、上述したように、天板２のうちのメイン天板３と脚体６とを固定するために用いられる。
【００５０】
具体的には、図１１に示すように、固定板１４ａは、その幅方向Ｆ１の右側の部分（例えば右半分）を脚板６ａの上端面にネジ止め等によって固定される。この際、固定板１４ａは、他方の脚板６ｂに向かう方向（幅方向Ｆ１の左方向）へ部分的に延出した状態（例えば左半分を延出した状態）になっている。メイン天板３の幅方向Ｆ１の一端部は、このような状態の固定板１４ａに固定板用係合凹部３ｃ（図１０参照）を係合して、脚板６ａの上端面に配置される。固定板１４ａの延出部分は、このメイン天板３の固定板用係合凹部３ｃ内に、高さ方向Ｆ２の下方からのネジ止め等によって固定される。この結果、メイン天板３は、固定板１４ａを介して脚板６ａに固定される。
【００５１】
固定板１４ｂは、図１１に示すように、その幅方向Ｆ１の左側の部分（例えば左半分）を脚板６ｂの上端面にネジ止め等によって固定される。この際、固定板１４ｂは、他方の脚板６ａに向かう方向（幅方向Ｆ１の右方向）へ部分的に延出した状態（例えば右半分を延出した状態）になっている。メイン天板３の幅方向Ｆ１の他端部は、このような状態の固定板１４ｂに固定板用係合凹部３ｄ（図１０参照）を係合して、脚板６ｂの上端面に配置される。固定板１４ｂの延出部分は、このメイン天板３の固定板用係合凹部３ｄ内に、高さ方向Ｆ２の下方からのネジ止め等によって固定される。この結果、メイン天板３は、固定板１４ｂを介して脚板６ｂに固定される。
【００５２】
一方、接合板１５ａ，１５ｂは、上述したように、脚体６を介してメイン天板３とサブ天板４と間接的に接合するために用いられる。具体的には、図１１に示すように、接合板１５ａは、その幅方向Ｆ１の右側の部分（例えば右半分）を、脚板６ａの上端面のうち固定板１４ａよりも奥行き方向Ｆ３の奥側の部位に、ネジ止め等によって固定される。この際、接合板１５ａは、他方の脚板６ｂに向かう方向（幅方向Ｆ１の左方向）へ部分的に延出した状態（例えば左半分を延出した状態）になっている。サブ天板４の幅方向Ｆ１の一端部は、このような状態の接合板１５ａに接合板用係合凹部４ｃ（図１０参照）を係合して、脚板６ａの上端面に配置される。接合板１５ａの延出部分は、このサブ天板４の接合板用係合凹部４ｃ内に、高さ方向Ｆ２の下方からの固定ネジ１６ａのネジ止めによって着脱可能に固定される。この結果、サブ天板４は、接合板１５ａを介して脚板６ａに摺動可能に固定される。
【００５３】
接合板１５ｂは、図１１に示すように、その幅方向Ｆ１の左側の部分（例えば左半分）を、脚板６ｂの上端面のうち固定板１４ｂよりも奥行き方向Ｆ３の奥側の部位に、ネジ止め等によって固定される。この際、接合板１５ｂは、他方の脚板６ａに向かう方向（幅方向Ｆ１の右方向）へ部分的に延出した状態（例えば右半分を延出した状態）になっている。サブ天板４の幅方向Ｆ１の一端部は、このような状態の接合板１５ｂに接合板用係合凹部４ｄ（図１０参照）を係合して、脚板６ｂの上端面に配置される。接合板１５ｂの延出部分は、このサブ天板４の接合板用係合凹部４ｄ内に、高さ方向Ｆ２の下方からの固定ネジ１６ｂのネジ止めによって着脱可能に固定される。この結果、サブ天板４は、接合板１５ｂを介して脚板６ｂに摺動可能に固定される。
【００５４】
固定ネジ１６ａ，１６ｂは、上述したように、脚体６を介したメイン天板３とサブ天板４との間接的な接合を確保または解除するために用いるネジ部品である。具体的には、図１２に示すように、固定ネジ１６ａは、脚体６ａの上端面に固定され且つサブ天板４の接合板用係合凹部４ｃに係合した状態の接合板１５ａに、高さ方向Ｆ２の下方側から取り付けられる。ついで、固定ネジ１６ａは、この接合板１５ａとサブ天板４の接合板用係合凹部４ｃとをネジ止めによって着脱可能に固定する。ここで、接合板１５ａは、上述したように脚体６の脚板６ａに固定され、且つ、この固定ネジ１６ａによってサブ天板４の接合板用係合凹部４ｃに着脱可能に固定された状態となる。この結果、接合板１５ａは、脚体６の脚板６ａを介しメイン天板３とサブ天板４とを間接的に接合する。固定ネジ１６ａは、この脚板６ａを介したメイン天板３とサブ天板４との間接的な接合を確保する。一方、固定ネジ１６ａは、必要に応じ、図１２に示すように接合板１５ａから取り外される等して、接合板１５ａのネジ止めを解除される。これにより、固定ネジ１６ａは、この接合板１５ａとサブ天板４の接合板用係合凹部４ｃとの固定を解除する。この結果、固定ネジ１６ａは、脚板６ａを介したメイン天板３とサブ天板４との間接的な接合を解除する。
【００５５】
固定ネジ１６ｂは、図１２に示すように、脚体６ｂの上端面に固定され且つサブ天板４の接合板用係合凹部４ｄに係合した状態の接合板１５ｂに、高さ方向Ｆ２の下方側から取り付けられる。ついで、固定ネジ１６ｂは、この接合板１５ｂとサブ天板４の接合板用係合凹部４ｄとをネジ止めによって着脱可能に固定する。ここで、接合板１５ｂは、上述したように脚体６の脚板６ｂに固定され、且つ、この固定ネジ１６ｂによってサブ天板４の接合板用係合凹部４ｄに着脱可能に固定された状態となる。この結果、接合板１５ｂは、脚体６の脚板６ｂを介しメイン天板３とサブ天板４とを間接的に接合する。固定ネジ１６ｂは、この脚板６ｂを介したメイン天板３とサブ天板４との間接的な接合を確保する。一方、固定ネジ１６ｂは、必要に応じ、図１２に示すように接合板１５ｂから取り外される等して、接合板１５ｂのネジ止めを解除される。これにより、固定ネジ１６ｂは、この接合板１５ｂとサブ天板４の接合板用係合凹部４ｄとの固定を解除する。この結果、固定ネジ１６ｂは、脚板６ｂを介したメイン天板３とサブ天板４との間接的な接合を解除する。
【００５６】
（サブ天板の奥行き方向の移動）
つぎに、本発明の実施の形態にかかる天板付き家具１のサブ天板４（可動天板）の奥行き方向Ｆ３への移動について説明する。図１３は、本発明の実施の形態におけるサブ天板の奥行き方向の移動を説明する図である。
【００５７】
本実施の形態において、メイン天板３は、固定板１４ａ，１４ｂを介して脚体６の一対の脚板６ａ，６ｂに固定される。サブ天板４は、固定ネジ１６ａ，１６ｂを用い、接合板１５ａ，１５ｂを介して脚体６の一対の脚板６ａ，６ｂに着脱可能に固定される。このサブ天板４が、メイン天板３に対して離間または近接する方向、すなわち、奥行き方向Ｆ３に移動するに際し、固定ネジ１６ａ，１６ｂは、ネジ止めを緩める等の作業によって、接合板１５ａ，１５ｂとサブ天板４の接合板用係合凹部４ｃ，４ｄとの固定を予め解除している。サブ天板４は、固定ネジ１６ａ，１６ｂによる接合板１５ａ，１５ｂとサブ天板４の接合板用係合凹部４ｃ，４ｄとの固定が解除された状態において、接合板用係合凹部４ｃ，４ｄを接合板１５ａ，１５ｂに沿って摺動させながら奥行き方向Ｆ３に移動する。
【００５８】
このようなサブ天板４の奥行き方向Ｆ３の移動は、ガイド部７，８によって案内される。ガイド部７，８は、図１３に示すように、幅方向Ｆ１に所定の間隔をあけ且つ奥行き方向Ｆ３に平行となるように、メイン天板３およびサブ天板４の各裏面に跨って設けられる。
【００５９】
詳細には、ガイド部７は、図１３に示すように、ガイドレール７ａと、摺動部７ｂと、取付板７ｃとを備える。ガイドレール７ａは、例えば断面がコの字形状のレール部材であり、ガイド用係合凹部３ａに係合して固定される。摺動部７ｂは、ガイドレール７ａ内に係合可能な形状の棒状部材である。摺動部７ｂは、ガイドレール７ａ内に摺動可能に嵌挿され、ガイドレール７ａとともにガイド用係合凹部３ａ，４ａ内に収容される。摺動部７ｂは、ガイド用係合凹部３ａ，４ａ内に収容された状態でガイドレール７ａに沿って摺動する。取付板７ｃは、摺動部７ｂの所定の部位に固定配置される。取付板７ｃは、ガイド用係合凹部４ａに係合して、ネジ止め等により、このガイド用係合凹部４ａに取り付けられる。この結果、摺動部７ｂは、取付板７ｃを介してガイド用係合凹部４ａ、すなわち、サブ天板４に固定される。
【００６０】
また、ガイド部８は、図１３に示すように、ガイドレール８ａと、摺動部８ｂと、取付板８ｃとを備える。ガイドレール８ａは、例えば断面がコの字形状のレール部材であり、ガイド用係合凹部３ｂに係合して固定される。摺動部８ｂは、ガイドレール８ａ内に係合可能な形状の棒状部材である。摺動部８ｂは、ガイドレール８ａ内に摺動可能に嵌挿され、ガイドレール８ａとともにガイド用係合凹部３ｂ，４ｂ内に収容される。摺動部８ｂは、ガイド用係合凹部３ｂ，４ｂ内に収容された状態でガイドレール８ａに沿って摺動する。取付板８ｃは、摺動部８ｂの所定の部位に固定配置される。取付板８ｃは、ガイド用係合凹部４ｂに係合して、ネジ止め等により、このガイド用係合凹部４ｂに取り付けられる。この結果、摺動部８ｂは、取付板８ｃを介してガイド用係合凹部４ｂ、すなわち、サブ天板４に固定される。
【００６１】
サブ天板４は、上述したような構成を有するガイド部７，８によって、奥行き方向Ｆ３の移動を案内される。具体的には、図１３に示すように、サブ天板４がメイン天板３から離間する方向に移動する際、ガイド部７は、サブ天板４に固定された状態の取付板７ｃの移動とともに、摺動部７ｂを、ガイドレール７ａに沿って摺動させながら奥行き方向Ｆ３の奥側へ延出させる。これと同時に、ガイド部８は、サブ天板４に固定された状態の取付板８ｃの移動とともに、摺動部８ｂを、ガイドレール８ａに沿って摺動させながら奥行き方向Ｆ３の奥側へ延出させる。これにより、ガイド部７，８は、メイン天板３から離間するサブ天板４の移動方向を、ガイドレール７ａ，８ａの長手方向、すなわち、奥行き方向Ｆ３に規制する。
【００６２】
上述したガイド部７，８によって移動を案内されるサブ天板４は、ガイド部７，８の各伸長長さを順次増大させるとともに、接合板１５ａ，１５ｂに接合板用係合凹部４ｃ，４ｄを各々摺動させながら、メイン天板３から離間する方向に移動する。ここで、ガイド部７の伸長長さは、ガイドレール７ａに沿って摺動しながら延出する摺動部７ｂの延出長さに相等する。すなわち、ガイド部７の最大伸長長さは、この摺動部７ｂの最大延出長さになる。このことは、ガイド部８についても同様である。サブ天板４は、ガイド部７，８の各伸長長さが最大伸長長さに達する以前の段階において、図１３に示すように、接合板用係合凹部４ｃ，４ｄの奥行き方向Ｆ３の手前端部２５ｂ，２５ａに接合板１５ａ，１５ｂを各々当接させる（状態Ｓ１）。これにより、サブ天板４は、ガイド部７，８の伸長を制限し、これと同時に、メイン天板３から離間する方向の移動を停止する。
【００６３】
このようにサブ天板４がメイン天板３から離間することにより、図１３に示すように、メイン天板３とサブ天板４との間隙１８が可能な限り広く形成される。この間隙１８は、図４，５等に示した収納部９における高さ方向Ｆ２の上側の開口部として機能する。すなわち、収納部９は、天板２の幅方向Ｆ１の全域に亘り、この間隙１８を介して天板２上側に通じる。
【００６４】
一方、サブ天板４がメイン天板３に近接する方向に移動する際、ガイド部７は、サブ天板４に固定された状態の取付板７ｃの移動とともに、摺動部７ｂを、ガイドレール７ａに沿って摺動させながら奥行き方向Ｆ３の手前側へ移動させてガイドレール７ａ内に順次収容する。これと同時に、ガイド部８は、サブ天板４に固定された状態の取付板８ｃの移動とともに、摺動部８ｂを、ガイドレール８ａに沿って摺動させながら奥行き方向Ｆ３の手前側へ移動させてガイドレール８ａ内に順次収容する。これにより、ガイド部７，８は、メイン天板３に近接するサブ天板４の移動方向を、ガイドレール７ａ，８ａの長手方向、すなわち、奥行き方向Ｆ３に規制する。
【００６５】
上述したガイド部７，８によって移動を案内されるサブ天板４は、ガイド部７，８の各伸長長さを順次減少させるとともに、接合板１５ａ，１５ｂに接合板用係合凹部４ｃ，４ｄを各々摺動させながら、メイン天板３から離間する方向に移動する。サブ天板４は、ガイド部７，８の各伸長長さが最小値（例えば零値）となる段階において、図１３に示すように、メイン天板３の奥行き方向Ｆ３の奥側端面に当接する。これと同時に、サブ天板４は、接合板用係合凹部４ｃ，４ｄの奥行き方向Ｆ３の奥端部２４ｂ，２４ａに接合板１５ａ，１５ｂを各々当接させる（状態Ｓ２）。この結果、サブ天板４は、メイン天板３に近接する方向の移動を停止する。
【００６６】
このようにサブ天板４がメイン天板３に近接することにより、図１３に示すように、メイン天板３とサブ天板４との間隙１８が閉じられる。この状態において、メイン天板３とサブ天板４との間には、凹部５による開口が形成される。この凹部５は、上述したように、手等の差込口としての機能と、被収納物の挿通口としての機能とを兼ね備える。
【００６７】
以上、説明したように、本発明の実施の形態では、脚体に固定されて支持される固定天板としてのメイン天板と、メイン天板の奥行き方向の奥側に配置されて脚体に移動可能に支持される可動天板としてのサブ天板とに天板を分割し、脚体に固定された状態のメイン天板と、メイン天板に対して相対的に移動可能なサブ天板とを、接合部材によって接合できるようにし、この接合部材とサブ天板とを固定部材によって着脱可能に固定して、メイン天板とサブ天板との接合を確保し、この固定部材による接合部材とサブ天板との固定を解除して、メイン天板とサブ天板との接合を解除している。また、メイン天板に対して離間または近接するサブ天板の奥行き方向の移動をガイド部によって案内し、サブ天板の奥行き方向の移動によって開閉するメイン天板とサブ天板との間隙に開口する収納部の天板下方側の収納空間に、この間隙を通じて天板上側から被収納物を収納している。
【００６８】
このため、被収納物の収納部に通じるメイン天板とサブ天板との間隙を天板の幅方向の全域に亘って開閉可能にするサブ天板の移動構造を持つことができるとともに、脚板に固定された状態のメイン天板と脚体に移動可能に支持されるサブ天板とを、適宜接合して一体化することができる。これにより、天板下方側の収納部に被収納物を収納する際、あるいは、この収納部を介して天板上側と天板下方側との間に被収納物を通す際には、メイン天板とサブ天板との接合を解除してサブ天板を移動可能な状態にすることができ、天板付き家具の運搬作業の際には、メイン天板とサブ天板との接合を確保して、サブ天板を、メイン天板から離間しない移動不能な状態にすることができる。この結果、コード類等の被収納物を天板上側と天板下方側との間に数多く配線し易い構造を天板付き家具に確保するとともに、天板付き家具の運搬作業の際にサブ天板が妄りに移動することを防止することができ、故に、天板付き家具の運搬作業の行い易さが損なわれる事態を回避することができる。
【００６９】
本発明にかかる天板付き家具を用いることにより、天板上に載置される物品の位置（特に、天板上面における幅方向の位置）によらず円滑に、コード類等の被収納物を、メイン天板とサブ天板との間隙を通じ収納部内に落とし込んで収納することができる。さらには、この間隙を介して天板上側と天板下方側（具体的には天板付き家具の起立面側）との間に被収納物を通す配線作業を円滑に行うことができる。また、天板付き家具の運搬作業において、使用者（作業者）が天板付き家具を持ち上げる際に把持するサブ天板の意図せぬ移動を防止することができる。この結果、天板付き家具の運搬作業を、サブ天板の意図せぬ移動に起因して阻害されることなく、円滑に行うことができる。さらには、メイン天板とサブ天板との間に跨るガイド部に過負荷が加わる事態を回避して、このガイド部の構成部品（例えばガイドレール等）の破損を防止することができる。
【００７０】
また、本発明の実施の形態では、上述した接合部材を脚体に固定し、且つ、この脚体に固定した状態の接合部材とサブ天板とを固定部材によって着脱可能に固定して、この脚体を介しメイン天板とサブ天板とを間接的に接合している。このため、天板付き家具の運搬作業の際、サブ天板を把持し持ち上げる等してサブ天板に加わる力を、メイン天板が固定された脚体の面直方向に垂直な方向から、この脚体によって受け止めることができる。これにより、メイン天板とサブ天板との接合強度を高めて、脚体を介しメイン天板とサブ天板とを一層強固に一体化することができる。この結果、天板付き家具の運搬作業の際にサブ天板が妄りに移動することを一層確実に防止することができる。
【００７１】
さらに、本発明の実施の形態では、接合部材に係合する係合凹部を、接合部材に比べてサブ天板の奥行き方向に長くなるようにサブ天板の裏面に形成し、固定部材により、この係合凹部に接合部材を着脱可能に固定し、この固定部材による接合部材と係合凹部との固定を解除した状態において、この係合凹部を接合部材に沿って摺動させながら、サブ天板を奥行き方向に移動するように構成している。このため、接合部材を係合凹部内に収容した状態にして、固定部材により、この接合部材とサブ天板の裏面とを着脱可能に固定することができ、この固定を解除した状態において、接合部材を係合凹部内に収容した状態を維持しながら、サブ天板を移動することができる。これにより、接合部材を係合凹部内に常時収容して、サブ天板の裏面からの接合部材の出っ張りを可能な限り低減することができる。この結果、接合部材が天板付き家具の外側から目立たない状態となることから、天板付き家具の美観の向上を促進することができる。
【００７２】
また、本発明の実施の形態では、係合凹部の奥行き方向の端部と係合対象の接合部材との間隔を、サブ天板の奥行き方向の移動に伴って伸縮するガイド部の最大伸長長さに比べて短くし、この係合凹部の奥行き方向の端部に接合部材を当接させて、サブ天板の移動に伴うガイド部の伸長を制限している。このため、ガイド部の伸長長さが最大伸長長さに達する前に、ガイド部の伸長を止めることができ、これにより、メイン天板から離間する方向へのサブ天板の移動を、収納部の開口に好適な程度に制限することができる。この結果、サブ天板がガイド部（特に、ガイド部の一構成部であるガイドレール）から抜け出て脱落する事態を防止することができる。
【００７３】
なお、上述した実施の形態では、メイン天板３とサブ天板４とを、脚体６を介して間接的に接合していたが、本発明は、これに限定されるものではない。本発明において、天板付き家具１は、脚体６を介さず、固定天板としてのメイン天板３と可動天板としてのサブ天板４とを直接的に接合するための接合部材と、メイン天板３とサブ天板４との直接的な接合の確保または解除を行う固定部材と、を備えたものでもよい。この場合、接合部材は、例えば金属等の素材を用いて構成される板形状の部材とし、メイン天板３の凹部５を挟んで両側に配置され、サブ天板４側に延出するように、メイン天板３の所定部位（例えば裏面）にネジ止め等によって固定されてもよい。また、固定部材は、上述した固定ネジ１６ａ，１６ｂであってもよく、メイン天板３側から延出した接合部材の延出部分とサブ天板４の所定部位（例えば裏面）とを着脱可能に固定して、メイン天板３とサブ天板４との直接的な接合を確保し、この接合部材の延出部分とサブ天板４との固定を解除して、メイン天板３とサブ天板４との直接的な接合を解除してもよい。
【００７４】
また、上述した実施の形態では、メイン天板３と脚体６とを固定する固定部材として板形状の固定板１４ａ，１４ｂを用い、メイン天板３とサブ天板４とを直接的または間接的に接合するための接合部材として板形状の接合板１５ａ，１５ｂを用いていたが、本発明は、これに限定されるものではない。本発明において、上述した固定部材および接合部材は、断面がＬ字形状のもの等、所望の形状の部材であってもよい。
【００７５】
さらに、上述した実施の形態では、接合板１５ａ，１５ｂとサブ天板４との固定を解除する際に接合板１５ａ，１５ｂから取り外すタイプの固定ネジ１６ａ，１６ｂが例示されているが、本発明は、これに限定されるものではない。本発明において、固定ネジ１６ａ，１６ｂは、接合板１５ａ，１５ｂとサブ天板４とのネジ止めを解除した状態において、接合板１５ａ，１５ｂに各々吊り下がって抜け落ちないタイプのネジ部品であってもよい。この場合、固定ネジ１６ａ，１６ｂは、取り扱い易くなるとともに、誤って紛失してしまう事態を回避することができる。
【００７６】
また、上述した実施の形態では、メイン天板３とサブ天板４との間隙１８と脚体６の起立面との双方に開口する収納部９を例示していたが、本発明は、これに限定されるものではない。本発明において、収納部９は、メイン天板３とサブ天板４との間隙１８に向かって開口するものとし、脚体６の起立面に開口していなくてもよい。この場合、幕板１０または脚板６ａ，６ｂに設けた貫通孔や床面との隙間等を通じてコードを延出する電源タップ（ＯＡタップ）が収納部９の棚板１０ａ上に配置され、天板２上側から収納部９の収納空間内に収納したコード類等の被収納物が、この電源タップと接続して配線されてもよい。あるいは、扉等によって開閉可能な開口部が幕板１０または脚板６ａ，６ｂに設けられ、メイン天板３とサブ天板４との間隙１８と、この幕板１０または脚板６ａ，６ｂの開口部との双方に開口する収納部９が形成されてもよい。
【００７７】
さらに、上述した実施の形態では、被収納物を載置する棚板１０ａが収納部９に設けられていたが、本発明は、これに限定されるものではない。本発明において、収納部９には、棚板１０ａが設けられていなくてもよい。
【００７８】
また、上述した実施の形態により本発明が限定されるものではなく、上述した各構成要素を適宜組み合わせて構成したものも本発明に含まれる。例えば、上述した実施の形態にかかる天板付き家具１は、木製、金属製、または樹脂製のいずれのものであってもよいし、これらの素材を適宜組み合わせたものであってもよい。その他、上述した実施の形態に基づいて当業者等によりなされる他の実施の形態、実施例および運用技術等は全て本発明に含まれる。
【符号の説明】
【００７９】
１  天板付き家具
２  天板
３  メイン天板
３ａ，３ｂ，４ａ，４ｂ  ガイド用係合凹部
３ｃ，３ｄ  固定板用係合凹部
３ｅ，３ｆ  固定金具用係合凹部
４ｃ，４ｄ  接合板用係合凹部
４  サブ天板
５  凹部
６  脚体
６ａ，６ｂ  脚板
７，８  ガイド部
７ａ，８ａ  ガイドレール
７ｂ，８ｂ  摺動部
７ｃ，８ｃ  取付板
９  収納部
１０  幕板
１０ａ  棚板
１０ｂ，１０ｃ  貫通孔
１１ａ〜１１ｄ  側板
１２ａ，１２ｂ  底板
１３ａ，１３ｂ  前面固定板
１３ｃ  前面中央板
１４ａ，１４ｂ  固定板
１５ａ，１５ｂ  接合板
１６ａ，１６ｂ  固定ネジ
１７ａ，１７ｂ  固定金具
１８  間隙
２４ａ，２４ｂ  奥端部
２５ａ，２５ｂ  手前端部
Ｆ１  幅方向
Ｆ２  高さ方向
Ｆ３  奥行き方向
【図１】
0006483401.tif 000002
【図２】
0006483401.tif 000003
【図３】
0006483401.tif 000004
【図４】
0006483401.tif 000005
【図５】
0006483401.tif 000006
【図６】
0006483401.tif 000007
【図７】
0006483401.tif 000008
【図８】
0006483401.tif 000009
【図９】
0006483401.tif 000010
【図１０】
0006483401.tif 000011
【図１１】
0006483401.tif 000012
【図１２】
0006483401.tif 000013
【図１３】
0006483401.tif 000014